(57)【要約】      （修正有）【課題】独立した吸引回復を可能とするべくまとめられる１以上の吐出部ないしはインク供給系統の数が異なるために、まとめられた単位間でインクの流れの抵抗が異なる場合であっても、最適となるポンプ駆動条件にて順次に吸引回復を行うことなく、共通の吸引ポンプを用いながら一斉の吸引回復動作を可能とするインクジェット記録装置を提供する。【解決手段】異なる数の吐出部を含む記録ヘッド部１３０２，１３０３に対してキャッピングを行うキャップ部Ｍ５０１０Ａ，Ｍ５０１０Ｂから共通のポンプＭ５０００に至るインク排出用チューブの１４０２，１４０３の内径を異ならせ、各インク排出系では異なる流量が生じ、各インク供給系統に対して好ましいインク流量が得られる。【選択図】図６
2005219419.tif 000002
【特許請求の範囲】
【請求項１】
共通に設けられた吸引手段により複数のインク吐出部から吸引を行うことで回復動作を行うことが可能なインクジェット記録装置において、
１以上の前記インク吐出部をまとめ、当該まとめられた１以上のインク吐出部を単位として吸引を可能とするとともに、前記回復動作を行う際、前記単位間で異なる吸引時の流量が生じるようにしたことを特徴とするインクジェット記録装置。
【請求項２】
前記まとめられた１以上のインク吐出部を単位とした吸引を可能とするために、当該まとめられた１以上の吐出部のキャッピングを行う前記単位毎のキャップ部を有することを特徴とする請求項１に記載のインクジェット記録装置。
【請求項３】
前記単位毎のキャップ部と前記吸引手段とを接続するインク排出用チューブを前記単位毎に有し、当該単位毎のインク排出用チューブを流れるインクの流量が異なるようにしたことを特徴とする請求項１または２に記載のインクジェット記録装置。
【請求項４】
前記単位毎のインク排出用チューブの内径を異ならせたことを特徴とする請求項３に記載のインクジェット記録装置。
【請求項５】
前記インク排出用チューブは少なくとも一部に可撓性部分を有し、前記吸引手段は当該可撓性部分を押圧しながらしごくことで前記吸引を行うチューブポンプを有することを特徴とする請求項４に記載のインクジェット記録装置。
【請求項６】
前記単位間で、まとめられる前記インク吐出部の数が異なることを特徴とする請求項１ないし５のいずれかに記載のインクジェット記録装置。
【請求項７】
前記複数の吐出部において数の異なるインク吐出口を有する場合と、口径の異なるインク吐出口を有する場合と、前記複数のインク吐出部に至る複数のインク供給系統の構造が異なる場合との少なくとも１つの場合に対応して、前記単位間で異なる吸引時の流量が得られるようにしたことを特徴とする請求項１ないし５のいずれかに記載のインクジェット記録装置。
【請求項８】
前記回復動作を実施するに先立ち、前記複数の吐出部について記録に関与しないインク吐出動作を行わせ、そのときの昇温特性に応じて、前記複数の吐出部のすべてについて一斉の回復動作を行うか、前記単位毎に独立した回復動作を行うかを定めるようにしたことを特徴とする請求項１ないし７のいずれかに記載のインクジェット記録装置。
【発明の詳細な説明】
【技術分野】
【０００１】
本発明は、インクジェット記録装置に関し、特に高画質記録を可能としたシリアル走査型インクジェット記録装置における記録ヘッドの構成およびそのメンテナンス方法に係るものである。
【背景技術】
【０００２】
インクジェット記録方式は、液体であるインクを媒介として入力画像データを出力画像に変換するシステムであるため、インクを吐出する記録ヘッドのメンテナンス技術が非常に重要な要素となっている。ここでメンテナンスを必要とする主な課題を簡単に説明すると、次の通りである。
【０００３】
（ａ）記録ヘッドには、記録の高速化や高解像化の目的で複数のノズル（以下、特にことわらない限り、吐出口、これに連通する液路およびインク吐出に利用されるエネルギを発生するための素子を総称して言う）が配列されるのが一般的であるが、入力画像データによっては記録中にインク吐出に用いられないノズルが生じることがある。そのようなノズルでは、吐出口からのインク溶剤の蒸発が生じ、これに伴い吐出口ないし液路内のインク粘度が増加する。従ってその後、そのノズルを使用するに際して、通常のインク吐出用のエネルギが付与されても安定したインク吐出が行えなくなり、吐出不良が生じる。
【０００４】
（ｂ）記録を行っているときに、ノズルから吐出されるインク滴には記録に関与する主インク滴のほか、細かなインク滴（これをミストともいう）も生じ、この細かなインク滴が記録ヘッドのインク吐出口周りに付着することがある。この付着インクが吐出される主インク滴を引っ張ることで、インク吐出方向がよれること、すなわち主インク滴の直進性が妨げられることがある。
【０００５】
（ｃ）記録ヘッド内部のインク溜め、すなわち吐出口内方の液路や液路に連通する共通液室などの部分に泡が存在すると、吐出口や記録ヘッドを構成する材質の内部を透過してきたガスが泡に取り込まれ成長したり、記録時の昇温により泡が膨張したりすることがある。これらによってインク供給源からのインク供給が阻害され、結果としてインク吐出不良が生じる。
【０００６】
これら上述の（ａ）〜（ｃ）の問題を解決するためのメンテナンス技術としては、次のようなものがある。
【０００７】
（Ａ）インク吐出が行われない時間や環境などに応じて、記録媒体に画像を形成する際のインク吐出とは別に所定量のインク吐出を行い、粘度が増加したインクを排出する（以下、この動作を予備吐出という）。
【０００８】
（Ｂ）吐出口からインク吐出を行った回数をカウントし、カウント数が所定値を超えた場合には、ゴムなどの弾性材料でなる払拭部材（ブレードなど）で記録ヘッドの吐出口が形成されている面（以下、吐出面という）を掃き、付着インクを除去する（以下、この動作をワイピングと呼ぶ）。
【０００９】
（Ｃ）所定のタイミングで、例えばポンプを用いて吐出面に吸引力を作用させ、吐出口よりインクを吸い出すことにより、吐出口内方のインクを強制排出する回復動作を行う（以下、この動作を吸引回復という）。なお、記録ヘッドと、インク供給源をなすインクタンクとが一体化された構成にあって、両者が分離可能に結合されることでインクタンクが交換可能な構成にあっては、交換に伴う分離時にインク供給系が開放されることによってインク供給系内に侵入するガス（空気）を除去するべく、インクタンク交換後に吸引回復を行うようにしたものもある。
【００１０】
ここで、ワイピングおよび吸引回復を簡単に説明する。
【００１１】
図１（ａ）および（ｂ）は、ワイピングを説明するために、それぞれ、記録ヘッドを吐出面および側面から見た図である。ここで、１１０１はワイピングを行うゴムでなるブレード、１１０２は吐出面、１１０３はインク吐出口、１１０４は吐出インクの直進を妨げる付着インク、１１０５はワイピング方向である。ワイピングとは、図に示すようにゴムブレード１１０１を記録ヘッドに当接させながら矢印１１０５で示す方向に移動させることにより、付着インク１１０４をブレード１１０１により吐出面１１０２から払拭する動作である。
【００１２】
一方吸引回復とは、一般的にはゴム製のキャップを吐出面１１０２に当接ないし圧接することでその内部に密閉空間を形成し、キャップに連通した吸引ポンプを作動させて負圧を発生させることにより、記録ヘッド内のインクをインク吐出口１１０３よりキャップ内に吸い出し、さらに吸引ポンプに接続されたインク排出用チューブより排出するものである。
【００１３】
吸引ポンプとしては、例えばチューブポンプ形態のものが用いられ、これは可撓性を有するインク排出用チューブを沿わせて保持する曲面が形成された部材と、これに向けてインク排出用チューブを押圧可能なローラと、このローラを支持して回転可能なローラ支持部とを有する。すなわち、ローラ支持部を所定方向に回転させることで、ローラは曲面形成部材上でインク排出用チューブを押しつぶしながら転動する。これに伴い、キャップが形成する密閉空間に負圧が生じてインクがインク吐出口より吸引され、インク排出用チューブないし吸引ポンプに引き込まれる一方、引き込まれているインクはさらに適宜の部材（吸収体などの廃インク保持部材）に向けて移送される。
【００１４】
さて、記録の一層の高画質化や高速化が求められる昨今のインクジェット記録装置においては、搭載するインクの種類が増し、また配列されるノズル数も数年前のものより飛躍的に多くなってきており、このようなメンテナンス技術は大きな課題となっている。
【００１５】
ここで昨今のインクジェット記録装置の高画質化について簡単に述べる。
【００１６】
元来、インクジェット記録装置は、基本的には印刷の三原色であるイエロー、マゼンタおよびシアンのインクを用い、減法混色による色再現が行われていたが、より高品位の画像形成を目的として、上記三原色のインクに加え、ブラックのインクを用いることで高いコントラストを表現できるようにしたものや、色材の含有率を下げた淡インク（淡シアンインクや淡マゼンタインク）を用いることで階調性を向上させたもの、さらには出力画像の粒状感を低減するために吐出インク滴の極小化などの技術を導入したものもある。
【００１７】
そして、さらなる画質向上のために、上記の６色のインクでは再現しきれない色域を表現する特殊インク（シアン、マゼンタ、イエロー以外の色調のインク）が用いられたり、出力画像の保存性を向上させるカラー顔料インクが用いられたり、インクを記録媒体に吐出する前または後に塗布することで光沢感を向上させる液体が用いられたりするなど、様々な技術が開発されている。
【００１８】
このような高画質化を図るインクジェット記録装置の一例として、ブラック、シアン、マゼンタ、イエロー、淡シアン（ライトシアンともいう）、淡マゼンタ（ライトマゼンタともいう）のインク以外に、色相空間上、イエローとマゼンタとの中間の角度領域にあるオレンジのインク、および、イエローとシアンとの中間領域にあるグリーンのインクを用いることで、再現できる色域を広げるようにしたものがある（例えば、特許文献１参照）。
【００１９】
【特許文献１】特開２００１−１３８５５２号公報
【発明の開示】
【発明が解決しようとする課題】
【００２０】
このように、画質向上のために多種のインクが用いられる場合、これに伴って各色に対応した吐出部が設けられることになる。この場合、上記吸引回復を行うべく、単一のキャップを全吐出部に対応させるものとすると、吸引回復は全吐出部に対し一律に実行されるものとなり、必要以上にインクが消費されてしまうことがある。
【００２１】
例えば記録ヘッドとインクタンクとが分離可能に結合されることでインクタンクが交換可能な構成にあって、インクタンク交換後に吸引回復を行うようにした場合には、一色のインクタンクを交換する度に、インクタンクの交換が行われない他色のインクに対応した吐出部からも吸引が行われるので、その分他色のインクを無駄にすることになる。これはインク種類が多いほど甚だしい問題となるので、上述のように多種類のインクが用いられるような場合には好ましいことではない。
【００２２】
そこで、本発明者らは、１以上の吐出部毎に分割する一方、それぞれの分割単位を独立に吸引回復できる吸引キャップ構成を用いることにより、記録しようとする画像の内容や記録モードなど、ユーザの記録のさせ方に依存して定まる各吐出部毎の最適なタイミングにて吸引回復を施すことを検討した。これによれば、インクタンク交換時における全吐出部一律の吸引回復や、早すぎるタイミングでの吸引回復などによって消費される無駄なインク量を可能な限り減らすことができ、廃インク保持部材ひいては装置のサイズアップを抑制するとともに、総インク消費量も低減させることが可能となる。
【００２３】
しかしながら、分割した単位間で、含まれる吐出部の数や、各々に対応するインクタンクの配設位置からのインク供給系統の構成（配管長さや配管経路）が異なると、外部圧力変動（吸引圧力の作用）などにより起きるインクの流れの抵抗が異なってくる。すると、各々の吐出部にとって最適な吸引を行うための負圧やインク流量が一致しなくなる。
【００２４】
しかるに、そのように分割を行い、キャップないしインク排出用チューブを独立に設けても、装置の小型化等の観点から吸引ポンプを共通化する場合、所定量のポンプ駆動にて各々のキャップないし排出用チューブに発生する負圧やインク流量は実質的に等しい。そのため、各々の分割単位ないしは吐出部に最適な負圧やインク流量を発生させるためには、各々の吐出部にとって最適となるように、ポンプ駆動条件を変えながら順次吸引回復を行うこととなる。すると、吸引回復にかかる時間がインク種類ないし吐出部数の増加に伴って長くなり、その間記録動作を待機することになるので、記録のスループットが低下し、またユーザには余計なストレスを与えるという問題が生じる。
【課題を解決するための手段】
【００２５】
このような問題を解決すべく、本発明は、共通に設けられた吸引手段により複数のインク吐出部から吸引を行うことで回復動作を行うことが可能なインクジェット記録装置において、１以上の前記インク吐出部をまとめ、当該まとめられた１以上のインク吐出部を単位として吸引を可能とするとともに、前記回復動作を行う際、前記単位間で異なる吸引時の流量が生じるようにしたことを特徴とする。
【発明の効果】
【００２６】
本発明によれば、１以上の吐出部をまとめ、当該まとめられた１以上の吐出部毎の吸引を可能とするとともに、回復動作を行う際、まとめられた１以上の吐出部間で異なる吸引時の流量が生じて複数の吐出部に至る複数のインク供給系統のそれぞれに実質的に等しい流量が得られるようにしたことにより、すべての吐出部に対する一斉の吸引回復動作が好ましい条件で行われるようになる。そしてこれにより、効率的な回復動作を可能にすることができ、吸引時間を必要最小限にとどめて、ユーザに余計なストレスをかけないですむようにもなる。
【発明を実施するための最良の形態】
【００２７】
以下、図面を参照して本発明の実施形態を詳細に説明する。
【００２８】
（インクジェット記録装置の機械的構成）
図２は本実施形態で適用するインクジェット記録装置を、その外装部を取り外して内部機構を露出させた状態で示す斜視図である。本実施形態における記録装置本体は、各機構の役割から、給紙部、用紙搬送部、排紙部、キャリッジ部、クリーニング部および外装部に分類することができる。本発明は主として吸引回復動作に関するものであるので、主としてクリーニング部の構成について説明する。
【００２９】
クリーニング部
クリーニング部は、記録ヘッド（後述）のクリーニングを行うためのポンプＭ５０００および記録ヘッドの乾燥を抑えるためのキャップＭ５０１０を含む吸引回復部および、記録ヘッドの吐出面をクリーニングするためのブレードＭ５０２０を含む払拭部などから構成されている。
【００３０】
クリーニング部には、専用のクリーニングモータＥ０００３が配されている。クリーニングモータＥ０００３には、ワンウェイクラッチ（不図示）が設けられており、一方向への回転でポンプが作動し、他方向への回転ではキャップＭ５０１０の昇降すなわち記録ヘッドの吐出面を開閉する動作と、ブレードＭ５０２０の移動すなわち記録ヘッドの吐出面を払拭する動作とを連続的に行うことが可能となっている。
【００３１】
クリーニングモータＥ０００３によって作動するポンプＭ５０００は、詳しくは図６および図７を参照して後述するが、ポンプコロがキャップＭ５０１０に接続されたインク排出用チューブをしごくことによって負圧が発生させるように構成された、チューブポンプの形態を有する。すなわち、キャップＭ５０１０を記録ヘッドの吐出面に密着させた状態でポンプＭ５０００を作動させると、記録ヘッドからはインク吐出口を介してインク等が吸引されるようになっている。
【００３２】
キャップＭ５０１０の内側部分には、吸引後に記録ヘッドの吐出面に残るインクを低減するためにの吸収体Ｍ５０１１が設けられている。また、吸引後にキャップＭ５０１０に残るインクを除去し、残インクによる固着およびその後の弊害が起こらないようにするために、キャップＭ５０１０を開けた状態すなわちキャップＭ５０１０を大気開放した状態でポンプＭ５０００を作動させることで、キャップＭ５０１０内の残インクを吸引するようにしている。なお、ポンプＭ５０００によって吸引されたインクは廃インクとなり、装置底部または背面部など適宜の部位に設けた廃インク吸収体（不図示）に吸収され、ここに保持される。
【００３３】
キャップＭ５０１０が下降すなわち記録ヘッドの吐出面から離脱すると、これによって開放された吐出面直下の空間を利用して、ブレードＭ５０２０がキャリッジＭ４０００の走査方向に垂直に移動し、記録ヘッドの吐出面を払拭する。ブレードＭ５０２０は、記録ヘッドＨ１００１のノズル近傍をクリーニングするものと、吐出面全体をクリーニングするものと、複数設けられている。そして、キャリッジＭ４０００が、一番奥に移動した際には、ブレードクリーナーＭ５０６０に当接することにより、ブレードＭ５０２０自身へ付着したインクなども除去することができる構成になっている。
【００３４】
その他の機構
給紙部は圧板２０１０に積載された記録媒体を１枚ずつ分離し、送給する機構を有する。用紙搬送部は、当該送給された記録媒体を記録ヘッドによる記録領域に向けて挟持搬送する搬送ローラＭ３０６０およびピンチローラＭ３０７０、その駆動源となる搬送モータＥ０００２および記録領域において記録媒体を支えるプラテンＭ３０４０等を有する。排紙部は、記録媒体を記録領域から排出させるための排紙ローラＭ３１１０およびこれと協働する複数の拍車ローラ等を有する。
【００３５】
キャリッジ部は、記録ヘッドを取り付けるためのキャリッジＭ４０００を有しており、キャリッジＭ４０００は、ガイドシャフトＭ４０２０およびガイドレールＭ１０１１によって支持され、ガイドシャフトＭ４０２０は、記録媒体の搬送方向に対して直角方向にキャリッジＭ４０００を往復走査させるように案内支持している。キャリッジＭ４０００は、シャーシＭ１０１０に取り付けられたキャリッジモータＥ０００１によりタイミングベルトＭ４０４１を介して駆動される。
【００３６】
上記構成において記録媒体に画像形成する場合、行位置に対しては、搬送ローラＭ３０６０およびピンチローラＭ３０７０からなるローラ対が、記録媒体を搬送して位置決めする。また、列位置に対しては、キャリッジモータＥ０００１によりキャリッジＭ４０００を上記搬送方向と垂直な方向に移動させて、記録ヘッドを目的の画像形成位置に配置させる。位置決めされた記録ヘッドは、電気制御基板Ｅ００１４からの信号に従って、記録媒体に対しインクを吐出する。記録ヘッドについての詳細な構成および記録システムは後述するが、本実施形態の記録装置においては、記録ヘッドにより記録を行いながらキャリッジＭ４０００が列方向に走査する記録主走査と、搬送ローラＭ３０６０により記録媒体が行方向に搬送される副走査とを交互に繰り返すことにより、記録媒体上に画像を形成していく構成となっている。
【００３７】
記録ヘッド
次に、本実施形態で適用するヘッドカートリッジＨ１０００の構成について説明する。本実施形態におけるヘッドカートリッジＨ１０００は、記録ヘッドＨ１００１と、インクタンクＨ１９００を搭載する手段、およびインクタンクＨ１９００から記録ヘッドにインクを供給するための手段を有しており、キャリッジＭ４０００に対して着脱可能に搭載される。
【００３８】
図３は、本実施形態で適用するヘッドカートリッジＨ１０００に対し、インクタンクＨ１９００を装着する様子を示した図である。本実施形態の記録装置は、８色のインクによって画像を形成し、従ってインクタンクＨ１９００も８色分が独立に用意されている。そして、図に示すように、それぞれがヘッドカートリッジＨ１０００に対して着脱自在となっている。尚、インクタンクＨ１９００の着脱は、キャリッジＭ４０００にヘッドカートリッジＨ１０００が搭載された状態で行えるようになっている。
【００３９】
図４は、ヘッドカートリッジＨ１０００の分解斜視図を示したものである。図において、ヘッドカートリッジＨ１０００は、第１の記録素子基板Ｈ１１００および第２の記録素子基板Ｈ１１０１、第１のプレートＨ１２００、第２のプレートＨ１４００、電気配線基板Ｈ１３００、タンクホルダーＨ１５００、流路形成部材Ｈ１６００、フィルターＨ１７００、シールゴムＨ１８００などから構成されている。
【００４０】
第１の記録素子基板Ｈ１１００および第２の記録素子基板Ｈ１１０１はＳｉ基板であり、その片面にインクを吐出するための複数の記録素子（ノズル）がフォトリソグラフィ技術により形成されている。各記録素子に電力を供給するＡｌ等の電気配線は、成膜技術により形成されており、個々の記録素子に対応した複数のインク流路もまた、フォトリソグラフィ技術により形成されている。さらに、複数のインク流路にインクを供給するためのインク供給口が裏面に開口するように形成されている。
【００４１】
それぞれ異なるインク色に対応する記録素子の列（以下ノズル列ともいう）は、記録媒体の搬送方向に１２００ｄｐｉ（ｄｏｔ／ｉｎｃｈ；参考値）の間隔で並ぶ７６８個のノズルによって構成され、約２ピコリットルのインク滴を吐出させる。各ノズル吐出口における開口面積は、およそ１００μｍ２に設定されている。また、第１の記録素子基板Ｈ１１００および第２の記録素子基板Ｈ１１０１は第１のプレートＨ１２００に接着固定されており、ここには、第１の記録素子基板Ｈ１１００および第２の記録素子基板Ｈ１１０１にインクを供給するためのインク供給口Ｈ１２０１が形成されている。
【００４２】
さらに、第１のプレートＨ１２００には、開口部を有する第２のプレートＨ１４００が接着固定されており、この第２のプレートＨ１４００は、電気配線基板Ｈ１３００と第１の記録素子基板Ｈ１１００および第２の記録素子基板Ｈ１１０１とが電気的に接続されるように、電気配線基板Ｈ１３００を保持している。
【００４３】
電気配線基板Ｈ１３００は、第１の記録素子基板Ｈ１１００および第２の記録素子基板Ｈ１１０１に形成されている各ノズルからインクを吐出するための電気信号を印加するものであり、第１の記録素子基板Ｈ１１００および第２の記録素子基板Ｈ１１０１に対応する電気配線と、この電気配線端部に位置し記録装置本体からの電気信号を受け取るための外部信号入力端子Ｈ１３０１とを有している。外部信号入力端子Ｈ１３０１は、タンクホルダーＨ１５００の背面側に位置決め固定されている。
【００４４】
一方、インクタンクＨ１９００を保持するタンクホルダーＨ１５００には、流路形成部材Ｈ１６００が例えば超音波溶着により固定され、インクタンクＨ１９００から第１のプレートＨ１２００に通じるインク流路Ｈ１５０１を形成している。
【００４５】
インクタンクＨ１９００と係合するインク流路Ｈ１５０１のインクタンク側端部には、フィルターＨ１７００が設けられており、外部からの塵埃の侵入を防止し得るようになっている。また、インクタンクＨ１９００との係合部にはシールゴムＨ１８００が装着され、係合部からのインクの蒸発を防止し得るようになっている。
【００４６】
さらに、前述のようにタンクホルダーＨ１５００、流路形成部材Ｈ１６００、フィルターＨ１７００及びシールゴムＨ１８００から構成されるタンクホルダー部と、第１の記録素子基板Ｈ１１００および第２の記録素子基板Ｈ１１０１、第１のプレートＨ１２００、電気配線基板Ｈ１３００及び第２のプレートＨ１４００から構成される記録ヘッド部Ｈ１００１とを、接着等で結合することにより、ヘッドカートリッジＨ１０００が構成されている。
【００４７】
図５は本発明の第１の実施例における記録ヘッドのノズル群の配列構成を示す。ここで、１３０２は第１の記録素子基板Ｈ１１００に対応し、高速フルカラー記録を特徴付ける記録ヘッド部、１３０３は第２の記録素子基板Ｈ１１０１に対応し、高画質記録を特徴付ける記録ヘッド部である。
【００４８】
高速フルカラー記録を特徴付ける記録ヘッド構成部１３０２は、フルカラーを減法混色で再現するための色材の３原色であるイエローインク、マゼンタインクおよびシアンインクをそれぞれ吐出する吐出部１３０４、１３０５および１３０６を有している。それぞれの吐出部は、記録ヘッドＨ１００１の走査方向１３１２と異なる方向（例えば略垂直に交わる記録媒体の搬送方向）に配列され、かつ一色のインクにつきノズル列を２列有している。また、これら２列のノズル列間では、ノズルは１／２ピッチだけ搬送方向にずらして配置される。なお、図において吐出部１３０４の左側に示されている２つの吐出部（各２列）は、本実施形態では非使用である。
【００４９】
一方、高画質記録を特徴づける記録ヘッド部１３０３は、出力画像の階調性を高めるためのライトシアンインク（淡シアンインクともいう）およびライトマゼンタインク（淡マゼンタインクともいう）をそれぞれ吐出する吐出部１３０７および１３１１と、出力画像のコントラストを高めるためのブラックインクを吐出する吐出部１３０９とが設けられている。さらに、本実施形態においては、シアン、マゼンタおよびイエローの色材の３原色だけでは再現できない色域を再現可能とするために、２種類の特色インク（特殊インク１、特殊インク２）を吐出する吐出部１３０８および１３１０も設けてある。なお、記録ヘッド部１３０３においても、各色インク用の吐出部１３０７〜１３１１のそれぞれについても、記録ヘッド部１３０２と同様、２列のノズル列で構成されている。
【００５０】
吸引回復部
図６は吸引回復部の斜視図、図７は吸引回復部等を含む図６のVII−VII線断面図である。本実施形態の吸引回復部の構成要素であるキャップＭ５０１０はキャップ部Ｍ５０１０ＡおよびＭ５０１０Ｂの２つの部分に区画されており、それぞれ、吐出部１３０４〜１３０６を有した記録ヘッド部１３０２の吐出面および吐出部１３０７〜１３１１を有した記録ヘッド部１３０３の吐出面に当接ないし圧接可能である。さらに、キャップ部Ｍ５０１０ＡおよびＭ５０１０Ｂには、それぞれ大気開放弁１４０４および１４０５が設けられており、各別にキャップ部内空間を大気に対して開放および遮断可能である。さらにキャップ部Ｍ５０１０ＡおよびＭ５０１０Ｂには、それぞれ、可撓性を有するインク排出用チューブ１４０２および１４０３が接続されている。
【００５１】
また、本実施形態の吸引回復部には、インクを吸い出すための負圧を発生させる吸引ポンプＭ５０００として、チューブポンプ形態のものが用いられ、これは可撓性を有するインク排出用チューブ１４０２および１４０３の延長部分を沿わせて保持する曲面を有する部材１４０６と、その曲面に向けてチューブ１４０２および１４０３の延長部分を押圧可能なローラ（不図示）と、このローラを支持し、回転軸１４０８を中心に矢印１４０７で示す方向に回転可能なローラ支持部（不図示）とを有する。すなわち、ローラ支持部を矢印１４０７方向に回転させることで、ローラは部材１４０６の曲面上でそれぞれチューブ１４０２および１４０３を押しつぶしながら転動する。これに伴い、キャップ部Ｍ５０１０ＡおよびＭ５０１０Ｂが形成する密閉空間に負圧が生じてインクが各色用ノズルの吐出口より吸引され、チューブ１４０２および１４０３内に引き込まれる一方、引き込まれているインクはさらにそれぞれのチューブの先端部より適宜の部材（廃インク保持部材など）に向けて移送される。
【００５２】
ここで、インク排出用チューブ１４０２および１４０３のそれぞれに吸引ポンプを独立させて設けると、吸引回復部の容積がかさみ、装置の大型化やコストアップにつながる。そこで本実施形態においては、上述のように２本のインク排出用チューブ１４０２および１４０３に対して１台の吸引ポンプＭ５０００を設け、単一の駆動源であるモータＥ０００３で駆動するようにしてある。つまり、キャップ部Ｍ５０１０Ａおよび５０１０Ｂと、大気開放弁１４０４および１４０５と、インク排出用チューブ１４０２および１４０３とは、それぞれ記録ヘッド部１３０２および１３０３に対応するように独立して設けられているのに対し、吸引ポンプＭ５０００は共通化している。
【００５３】
そして、吸引回復動作時には、キャップ部Ｍ５０１０Ａおよび５０１０Ｂを同時に記録ヘッド部１３０２および１３０３に対してキャッピングするとともに、当接ないし吸引回復を実施したい記録ヘッド部に対応したキャップ部に設けられている大気開放弁だけを閉め、一方で吸引回復する必要のない記録ヘッド部に対応した吸引キャップ部に設けられた大気開放弁を開けることにより、吸引回復動作を行う記録ヘッド部を選択できる。
【００５４】
以上のように、記録ヘッド部１３０２および１３０３の吐出面にキャップ部Ｍ５０１０ＡおよびＭ５０１０Ｂをキャッピングし、対応する大気開放弁を閉じた状態で吸引ポンプＭ５０００を作動させることによって、キャップ内のインクや記録ヘッド部１３０２および／または１３０３のノズル内のインクを吸引するという吸引動作を行うことによって、記録ヘッド部１３０２および１３０３からのインクの吐出状態を良好に保つことが可能となる。
【００５５】
なお本実施形態では、キャップ部Ｍ５０１０Ａおよび５０１０ＢはキャップユニットＭ５０１０に一体化されて、記録ヘッド部１３０２および１３０３の双方を同時にキャッピング可能とするとともに、記録ヘッド部１３０２に対応する大気開放弁１４０４および記録ヘッド部１３０３に対応する大気開放弁１４０５を個別に開閉可能とすることで個別の吸引動作を可能とした。しかし記録ヘッド部１３０２と１３０３とを各別にキャッピングするように、独立した動作が可能なキャップを２つ設けてもよい。
【００５６】
また、キャップユニットＭ５０１０の昇降やブレードＭ５０２０の動作などは、図７に示すように軸１４１０上に複数のカムを設けたメインカム１４２０によって機械的に制御することができる。すなわち、それぞれの部位のカム面がアームなどのリンク機構に作用し、所定の動作を行うことが可能である。このときのメインカム１４２０の回転位置は、フォトインタラプタ等の位置検出センサで検出することができる。
【００５７】
（インクジェット記録装置の制御系の構成）
次に本実施形態における制御系の構成すなわち制御回路および制御の態様について説明する。
【００５８】
制御回路
図８は、本発明の実施形態における制御回路の全体構成を概略的に説明するためのブロック図である。
【００５９】
本実施形態で適用する記録装置では、主にキャリッジ基板（ＣＲＰＣＢ）Ｅ００１３、メインＰＣＢ（Ｐｒｉｎｔｅｄ  Ｃｉｒｃｕｉｔ  Ｂｏａｒｄ）Ｅ００１４、電源ユニットＥ００１５、フロントパネルＥ０１０６等によって構成されている。  
ここで、電源ユニットＥ００１５は、メインＰＣＢ  Ｅ００１４と接続され、各種駆動電源を供給するものとなっている。
【００６０】
キャリッジ基板Ｅ００１３は、キャリッジＭ４０００に搭載されたプリント基板ユニットであり、ヘッドコネクタ  Ｅ０１０１を通じて記録ヘッドＨ１００１との信号の授受を行うインタフェースとして機能する。また、キャリッジＭ４０００の移動に伴ってエンコーダセンサＥ０００４から出力されるパルス信号に基づいて、エンコーダスケールＥ０００５とエンコーダセンサＥ０００４との位置関係の変化を検出し、更にその出力信号をフレキシブルフラットケーブル（ＣＲＦＦＣ）Ｅ００１２を通じてメインＰＣＢ  Ｅ００１４へと出力する。キャリッジ基板Ｅ００１３には、周囲温度温度を検出するためのサーミスタなどの温度センサや所要の光学センサが設けられている。これらのセンサＥ０１０２により得られる情報は、記録ヘッドカートリッジＨ１０００に設けた温度センサ（不図示）からのヘッド温度情報とともに、フレキシブルフラットケーブル（ＣＲＦＦＣ）Ｅ００１２を通じてメインＰＣＢ  Ｅ００１４へと出力される。
【００６１】
メインＰＣＢ  Ｅ００１４は、本実施形態におけるインクジェット記録装置の各部の駆動制御を司るプリント基板ユニットであり、その基板上には、図９について説明する吸引回復動作制御を含め、各種制御を行うＣＰＵおよびそのＣＰＵが実行するプログラムを格納したＲＯＭなどを有する。また、メインＰＣＢ  Ｅ００１４は、紙端検出センサ（ＰＥセンサ）Ｅ０００７、Ａｕｔｏｍａｔｉｃ  Ｓｈｅｅｔ  Ｆｅｅｄｅｒ（ＡＳＦ）センサＥ０００９、カバーセンサＥ００２２およびホストインタフェース（ホストＩ／Ｆ）Ｅ００１７を有している。また、キャリッジＭ４０００を主走査させるための駆動源となるキャリッジモータＥ０００１、記録媒体を搬送するための駆動源となるＬＦモータＥ０００２、記録ヘッドＨ１００１の回復動作の駆動源となるモータＥ０００３、記録媒体の給紙動作の駆動源となるＡＳＦモータＥ０１０５など各種モータと接続されて各機能の駆動を制御している。更に、インクエンプティセンサ、メディア（紙）判別センサ、キャリッジ位置（高さ）センサ、ＬＦエンコーダセンサ、ＰＧセンサのような各種オプションユニットの装着や動作状態を示す様々なセンサ信号Ｅ０１０４を受信するとともに、各種オプションユニットの駆動制御を行うために、オプション制御信号Ｅ０１０８を出力する。また、メインＰＣＢ  Ｅ００１４は、ＣＲＦＦＣ  Ｅ００１２、電源ユニットＥ００１５およびフロントパネルＥ０１０６とそれぞれ接続し、パネル信号Ｅ０１０７によって情報のやり取りを行うための、インターフェイスを有している。
【００６２】
フロントパネルＥ０１０６は、ユーザ操作の利便性のために、記録装置本体の正面に設けたユニットであり、リジュームキーＥ００１９、ＬＥＤ  Ｅ００２０、電源キーＥ００１８、さらにデジタルカメラ等の周辺デバイスとの接続に用いるデバイスＩ／Ｆ  Ｅ０１００を有している。
【００６３】
吸引回復のシーケンス
図９は、以上の構成で実行される各種制御のうち、本実施形態の主要部である、記録ヘッド部１３０２および１３０３の吸引回復動作を行う場合の制御手順の一例を示す。
【００６４】
まず、記録ヘッド部１３０２および１３０３がそれぞれ、キャップ部Ｍ５０１０ＡおよびＭ５０１０Ｂに対向した位置となるようにキャリッジＭ４０００を設定した状態で、キャップ部Ｍ５０１０ＡおよびＭ５０１０Ｂの大気開放弁１４０４および１４０５を共に閉塞した状態とする（ステップＳ１）。次に、キャップユニットＭ５０１０を上昇させることで、キャップ部Ｍ５０１０ＡおよびＭ５０１０Ｂをそれぞれ記録ヘッド部１３０２および１３０３に押し付け、それらの吐出面のキャッピングを行う（ステップＳ２）。これらのステップによって、記録ヘッド部１３０２および１３０３が共に密閉される。
【００６５】
次に、２本のインク排出用チューブ１４０２および１４０３が連結されている吸引ポンプＭ５０００を作動させ、記録ヘッド部１３０２および１３０３からの吸引回復動作を行う（ステップＳ３）。なお、このとき大気開放弁が開放されたままにすると、大気開放弁から外気を吸い込むだけとなり、記録ヘッド部からの吸引回復動作は行われない。また、吸引ポンプの回転量は、メンテナンスを行う目的（記録ヘッド１３０１内から排出しようとするインク量）に応じて変更することができる。
【００６６】
次に、所定の吸引動作が終了すると、大気開放弁１４０４および１４０５を開放することで、記録ヘッド部１３０２および１３０３を密閉していたキャップ部Ｍ５０１０ＡおよびＭ５０１０Ｂ内に空気を導入し、記録ヘッドＨ１００１内のインクの移動を終了させる（ステップＳ４）。
【００６７】
次に、吸引キャップユニットＭ５０１０を下降させた状態とし、ブレードＭ５０２０を移動させてワイピング動作を行うことで、記録ヘッド部１３０２および１３０３の吐出面に残ったインク滴を掃きとる（ステップＳ５）。次に、大気開放弁１４０４および１４０５を共に開放させたままキャップユニットＭ５０１０を上昇させる（ステップＳ６）。次に、記録ヘッド部１３０２および１３０３にそれぞれキャップ部Ｍ５０１０ＡおよびＭ５０１０Ｂが当接した状態で、吸引ポンプＭ５０００を作動させてから記録ヘッド部１３０２および１３０３に共に予備吐出を行わせる（ステップＳ７）。このステップＳ７の動作は、予備吐出を行う際に発生するインクミストが装置内に移動することで装置内部を汚してしまうことを防ぐためである。
【００６８】
次に、再びキャップユニットＭ５０１０を下降させた後にワイピングを行い、記録ヘッド部１３０２および１３０３の吐出面に残ったインク滴を掃きとり（ステップＳ８）、下降した吸引キャップ１４０１内に予備吐出を実施させて（ステップＳ９）、吸引回復に係る一連の動作を終了する。
【００６９】
以上のような動作を行うことにより、記録ヘッド部１３０２および１３０３に対し同時に吸引回復を施すことができる。なお、ステップＳ９の後に吸引ポンプＭ５０００を作動させることで、吸引キャップ１４０１内のインクを排出するように吸引回復動作を制御してもよい。
【００７０】
また、記録ヘッド部１３０２および１３０３に対し個別に吸引回復を施したい場合には、大気開放弁１４０４および１４０５のいずれかを閉じた状態として上記一連の動作を行えばよい。
【００７１】
そのように吸引回復を記録ヘッド部１３０２および１３０３に対して同時に施すか、あるいは個別に施すかは、適切に選択可能である。例えば、吸引回復を実施するに先立って、記録ヘッド部ないし各色吐出部より所定の予備吐出を行わせ、そのときの昇温特性を検出し、いずれの記録ヘッド部ないし各色吐出部でも所定の閾値を超えるような昇温が検出されない場合には、いずれのインク供給路の途中にも円滑なインク供給が行えなくなるような空気溜りや気泡が存在しないと判断し、吸引回復を記録ヘッド部１３０２および１３０３に対して同時に施すようにすることができる。また、いずれかの記録ヘッド部ないし各色吐出部で所定の閾値を超えるような昇温が検出された場合や、ある色のインクタンクの交換が行われた場合には、一方の記録ヘッド部に対してのみ集中的な吸引回復を施すようにしてもよい。
【００７２】
以上のように、本実施形態では、記録ヘッドＨ１００１において高速フルカラー記録を特徴づける記録ヘッド部１３０２と高画質記録を特徴付ける記録ヘッド部１３０３とを分離し、各々の記録ヘッド部を独立して吸引回復することも可能な構成とした。これにより、所要の記録ヘッド部に対してのみ吸引回復を行うこと、すなわち吸引回復を行うインクないしは吐出部の数を、全８色分ではなく５色分もしくは３色分に削減することで、吸引回復におけるインク消費量を削減できることになる。
【００７３】
（吸引回復部の設計）
次に、吸引回復を記録ヘッド部１３０２および１３０３に対して同時に施す場合も、また個別に施す場合も、ともに好ましい吸引回復が行われるようにするための構成について説明する。
【００７４】
図１０は、インクタンクからインク吐出口に至るまでのインク供給系の略図である。
【００７５】
図中の１６０１〜１６０８で示した部分はフィルタであり、各々の上部にインクタンクが連結される。すなわち、フィルタ１６０１〜１６０８の上部には、それぞれ、イエローインク、マゼンタインク、シアンインク、淡シアンインク、特殊インク１、ブラックインク、特殊インク２および淡マゼンタインクを収納するインクタンクＨ１９００が連結される。
【００７６】
図中１６０９〜１６１６で示した部分は、各インクタンクよりインクを供給するための供給路となっている。さらに、図中１６１９〜１６２６で示した部分は、各色インクの吐出部１３０４〜１３１１にインクを安定して分配供給するために設けられている液室であり、形状および寸法は全て等しい。符号１６１７および１６１８で示すものも液室であるが、これらは図５において吐出部１３０６の右側に示されている本実施形態では非使用とした２つの吐出部に対応したものであり、配管は接続していない。
【００７７】
すなわち、前述の高速フルカラー記録を特徴付ける記録ヘッド部（シアン、マゼンタおよびイエロー用）１３０２に対してインクが流れる経路は、フィルタ１６０１〜１６０３、供給路１６０９〜１６１１および液室１６１９〜１６２１を介したものとなり、高画質記録を特徴付ける記録ヘッド部（ブラック、ライトシアン、ライトマゼンタ、特殊インク１および特殊インク２用）１３０３に対してインクが流れる経路は、フィルタ１６０４〜１６０８、供給路１６１２〜１６１６および液室１６２２〜１６２６を介したものとなる。
【００７８】
ここで、本発明の第１実施形態に沿って、吸引回復を実施する目的に応じて各々のインク排出用チューブ１４０２および１４０３に発生させるべきインク流量の考え方について説明する。
【００７９】
吸引回復は、前述した課題（ｃ）に対応して行われるものである。すなわち、インク流路や液室、吐出口などに存在する泡を抜き取りたい場合や、溶剤蒸発に起因する吐出口近傍の増粘インクを新しいインクへ置換したい場合などに行われる。また、インクタンク内のインクが完全に消費されたことに伴って、ないしは、これによりインクタンクの交換が行われる際にインク供給系が開放されたことに伴って空になったインク供給路や液室などにインクを再び充填させる場合にも行われる。
【００８０】
これらの場合、インク供給路および液室の中を流れるインク流量が重要である。流量が小さすぎると再充填時に液室内に大きな空気残りが発生したり、また液室などに存在する気泡は動きにくいのでこれが抜き取られなかったりするからである。一方、流量が大きすぎると、インクタンクＨ１９００と記録ヘッドＨ１００１とのジョイント部などから外気を引き込んでしまい、却って液室内に泡を増やしてしまう結果となるからである。
【００８１】
配置される各系統のインク供給路および液室の寸法などに大きな差異が無い本実施形態においては、各系統を単独で見た場合、必要十分な吸引回復時のインク流量がおよそ一意的に定められると仮定してよい。しかし本実施形態では、高速フルカラー記録を特徴付ける記録ヘッド部１３０２にはシアン、マゼンタおよびイエローの３系統のインク供給路および液室が配置され、高画質記録を特徴付ける記録ヘッド部１３０３にはブラック、ライトシアン、ライトマゼンタ、特殊インク１および特殊インク２の５系統のインク供給路および液室が配置されている。従って、これらの記録ヘッド部間では、必要十分な吸引回復時のインク流量の合計が異なってくる。
【００８２】
そこで本実施形態では、吸引ポンプＭ５０００の駆動により、記録ヘッド部１３０２に対して吸引回復を行う場合は、インク排出用チューブ１４０２におけるインク流量が１系統において必要なインク流量の３倍、記録ヘッド部１３０３に対して吸引回復を行う場合は、インク排出用チューブ１４０３のインク流量が１系統において必要なインク流量の５倍となるようする。
【００８３】
このように、単一の駆動系で同時に吸引回復を行なった場合に、１系統において必要なインク流量の３倍のインク流量と５倍のインク流量とが得られるようにするために、本実施形態では、有効断面積、具体的には円形断面をもつインク排出用チューブ１４０２および１４０３の内径を異ならせ、それぞれ異なったインク流量が生じるようにする。
【００８４】
そこで、本実施形態の排出用チューブ１４０２および１４０３のチューブ径の決定方法について説明する。
【００８５】
図１１はポンプ駆動で発生させる１系統におけるインク流量についての概念図である。
【００８６】
斜線部１３１はインク流量が少なすぎて空の液室などをしっかりと充填できない領域を示す。斜線部１３２はインク流量が大きすぎてインクタンクＨ１９００と記録ヘッドＨ１００１とのジョイント部などから外気を取り込んでしまい、却って液室内に泡を増やしてしまうような領域を示す。斜線部１３３がこれらの問題が生じることなく好ましく目的を達成できるインク流量を示している。よって、記録ヘッド部１３０２および記録ヘッド部１３０３のいずれにおいても、吸引回復時に各系統のインク流量が斜線部１３３の範囲にあるような流量が排出用チューブ１４０２および１４０３において生じることが強く望ましい。
【００８７】
本実施形態では、まず上記５系統のインク流路および液室が配置された記録ヘッド部１３０３側のチューブ１４０３の内径３．５ｍｍとし、１系統におけるインク流量が領域１３３の条件を満たす吸引ポンプＭ５０００ないしＰＧモータＥ０００３の駆動量を決定した。その後、同一駆動量において上記３系統のインク流路および液室が配置された記録ヘッド部１３０２側の１系統におけるインク流量が領域１３３の条件を満たすように、排出用チューブ１４０２の内径を決定した。
【００８８】
図１２は５系統を有する記録ヘッド部側について決定したものと同一駆動量で、３系統を有する記録ヘッド部側について駆動を行った場合、チューブ内径の違いによる１系統あたりのインク流量を説明するための概念図である。曲線Ａはチューブ内径を３．０ｍｍ、曲線Ｂは５系統側と同じ３．５ｍｍ、曲線Ｃは２．５ｍｍとした場合の吸引負圧波形である。
【００８９】
ここで、５系統側と同じ内径を３．５ｍｍとしたチューブを用いた場合の曲線Ｂでは、５系統側では適切であったが３系統側ではインク流量が大きすぎてインクタンクと記録ヘッドとのジョイント部などから外気を取り込んでしまい、逆に液室内に泡を増やしてしまった。また、内径を２．５ｍｍとしたチューブを用いた場合の曲線Ｃでは、インク流量が少なすぎ、空である液室に対してインクを充填できないことが確認された。これらに対し、内径を２．５ｍｍとしたチューブを用いた場合の曲線Ａでは、いずれの系統でもそれらの問題の発生なく好ましい吸引動作を行うことができた。よって、上記３系統のインク流路および液室が配置された高速フルカラー記録を特徴づける記録ヘッド部１３０２側のチューブ１４０２として、内径３．０ｍｍのものを選定した。
【００９０】
なお、ここでは５系統の１３０３側を駆動の基準として、３系統の１３０２側のチューブ径を決定したが、逆もまた可能であることは勿論であり、３系統の１３０２側のチューブ径を駆動の基準として５系統の１３０３側のチューブ径を決定しても良い。
【００９１】
（その他）
なお、以上の実施形態におけるインクセットは、キャップないしインク排出用チューブで異なる色調のインク同士が接触・混合するものであるので、そのときに反応を起こさないもの、すなわち少なくともイエロー、マゼンタおよびシアンのインクセットと、ブラック、ライトシアン、ライトマゼンタ、特殊インク１および特殊インク２のインクセットとのそれぞれについて、反応を起こさないものとするのが望ましく、本実施形態では、８種類のインクについて染料系のものを用いた。しかし異なる種類のインクが接触・混合してもインク吐出性能やメンテナンス性などに何ら影響が生じないのであれば、染料系のインクであっても顔料系のインクであっても、また用いる色調についても、特に限定されるものではない。また、そのような影響を及ぼす複数種類のインクが用いられるのであれば、接触による反応が生じないもの同士をまとめて、キャップないしインク排出用のチューブを含むインク排出系を構成することもできる。
【００９２】
また、インク排出系の数や、１つのインク排出系に対応させるインクないし吐出部の種類（色調）や数についても、上述のものに限られない。装置の小型化ないし低廉化なども勘案して、適宜のものとすることができるのは勿論である。
【００９３】
すなわち本発明は、複数の吐出部から、共通の吸引手段により吸引を行うことにより回復動作を行うことが可能なインクジェット記録装置において、１以上の吐出部をまとめ、当該まとめられた１以上の吐出部毎の吸引を可能とするとともに、回復動作を行う際、複数の吐出部に至る複数のインク供給系統のそれぞれに実質的に等しい流量が生じるよう、まとめられた１以上の吐出部間で異なる吸引時の流量が得られるようにするものである。
【００９４】
つまり従来、一斉の吸引回復動作を行う際に、複数のインク供給系統のすべてで好ましい吸引回復が行われないのは、外部圧力変動などにより起きるインクの流れの抵抗が異なるようなインク供給構造を有することに由来し、これは、まとめられる吐出部ないしはインク供給系統の数が異なる場合に生じる（すなわち上述の実施形態にような構成では、記録ヘッド部１３０２側では３つ、記録ヘッド部１３０３側では５つ）。これに対し本発明では、まとめられた１以上の吐出部間で異なる吸引時の流量が得られるようにすることで、複数の吐出部に至る複数のインク供給系統のそれぞれに実質的に等しい流量が生じるようにし、これによってすべての吐出部に対する一斉の吸引回復動作が好ましい条件で行われるようになるのである。
【００９５】
かかる本発明は、まとめられる吐出部ないしはインク供給系統の数が異なる場合に適用されるものに限られない。１以上の吐出部間で、ノズルの数が異なること、ノズルの口径が異なること、複数のインク供給系統の構造が異なること、あるいはそれらの２以上により、外部圧力変動などにより起きるインクの流れの抵抗が異なるようなインク供給構造を有する場合に対して、広く、有効に適用できるのである。
【００９６】
また、上例では、吸引手段として、つぶしながらしごくことで生じる容積変動によって吸引を行うチューブポンプを用いた場合について例示し、各記録ヘッド部からの吸引回復動作を行う際の容積変動が異なるようにするために、キャップ部に接続された実質的に円形断面を有するインク排出用チューブの内径を異ならせたものを用いた。しかしこの場合において、まとめられた１以上の吐出部毎に吸引回復時に異なる流量を異ならせるためには、内径を異ならせたインク排出用チューブを用いるものに限られず、流れの有効断面積および／または流速が適切に異なるようにする構成が採用されるものであればよい。さらに、吸引手段としては、容積変動によって吸引を行うチューブポンプだけでなく、ピストンポンプあるいはギアポンプを用いることもできる。
【図面の簡単な説明】
【００９７】
【図１】（ａ）および（ｂ）は、インクジェット記録装置で行われる記録ヘッドのメンテナンスとして、ワイピング動作を説明するための図である。
【図２】本発明の一実施形態に係る記録装置の機構部を説明するための斜視図である。
【図３】本発明の一実施形態で適用したヘッドカートリッジにインクタンクを装着する状態を示した斜視図である。
【図４】本発明の一実施形態で適用したヘッドカートリッジの分解斜視図である。
【図５】図４のヘッドカートリッジに用いられる記録ヘッドにおいて、高速フルカラー記録を特徴づける記録ヘッド部と高画質印字を特徴付ける記録ヘッド部とを分離してなる構成を説明するための図である。
【図６】図２におけるクリーニング部を構成する吸引回復部の斜視図である。
【図７】吸引回復部等を含む図６のVII−VII線断面図である。
【図８】図２の記録装置における制御系の全体構成を概略的に示すブロック図である。
【図９】本発明の一実施形態で行われる吸引回復のシーケンスの一例を示すフローチャートである。
【図１０】本発明の一実施形態におけるインクタンクからインク吐出口に至るまでのインク供給系の略図である。
【図１１】ポンプ駆動に伴ってインク供給系の１系統で発生させるインク流量について説明するための概念図である。
【図１２】インク供給系の複数系統のそれぞれにおいて好ましいインク流量を得るべく、インク排出用チューブの内径を定める態様を説明するための図である。
【符号の説明】
【００９８】
Ｍ２０１０  圧板
Ｍ３０４０  プラテン
Ｍ３０６０  搬送ローラ
Ｍ３０７０  ピンチローラ
Ｍ３１１０  排紙ローラ
Ｍ４０００  キャリッジ
Ｍ４０２０  ガイドシャフト
Ｍ４０４１  タイミングベルト
Ｍ５０００  ポンプ（チューブポンプ）
Ｍ５０１０  キャップユニット
Ｍ５０１０Ａ、Ｍ５０１０Ｂ  キャップ部
Ｍ５０１１  キャップ吸収体  
Ｍ５０２０  ブレード
Ｍ５０６０  ブレードクリーナー
Ｅ０００１  キャリッジモータ
Ｅ０００２  ＬＦモータ
Ｅ０００３  ＰＧモータ
Ｅ０００５  エンコーダスケール
Ｅ０００９  ＡＳＦセンサ
Ｅ００１３  キャリッジ基板
Ｅ００１４  メイン基板
Ｅ０１０５  ＡＳＦモータ
Ｈ１０００  ヘッドカートリッジ
Ｈ１００１  記録ヘッド
Ｈ１１００  第１の記録素子板
Ｈ１１０１  第２の記録素子板
Ｈ１２００  第１のプレート
Ｈ１２０１  インク供給口
Ｈ１３００  電気配線基板
Ｈ１３０１  外部信号入力端子
Ｈ１４００  第２のプレート
Ｈ１５００  タンクホルダー
Ｈ１５０１  インク流路
Ｈ１６００  流路形成部材
Ｈ１７００  フィルター
Ｈ１８００  シールゴム
Ｈ１９００  インクタンク
１１０１  ゴムブレード
１１０２  吐出面
１１０３  インク吐出口
１１０４  付着インク
１１０５  ワイピング方向
１３０２  高速フルカラー記録用の記録ヘッド部
１３０３  高画質記録用の記録ヘッド部
１３０４〜１３１１  吐出部
１４０２、１４０３  インク排出用チューブ
１４０４、１４０５  大気開放弁
１４０６  チューブポンプの曲面形成部材
１４０７  チューブポンプの回転方向
１４０８  チューブポンプの回転軸
１６０１〜１６０８  フィルタ部
１６０９〜１６１６  供給路
１６１７〜１６２６  液室
【図１】
2005219419.tif 000003
【図２】
2005219419.tif 000004
【図３】
2005219419.tif 000005
【図４】
2005219419.tif 000006
【図５】
2005219419.tif 000007
【図６】
2005219419.tif 000008
【図７】
2005219419.tif 000009
【図８】
2005219419.tif 000010
【図９】
2005219419.tif 000011
【図１０】
2005219419.tif 000012
【図１１】
2005219419.tif 000013
【図１２】
2005219419.tif 000014